(57)【要約】【課題】本発明の課題は、自動販売機に搭載した自動体外式除細動器の作業性向上を図ることにある。【解決手段】前面あるいは商品見本を照らす照明装置を備え、該照明装置を所定の条件により点消灯できるようにした自動販売機において、自動体外式除細動器を備え、前記自動体外式除細動器に起動を検知する検知手段と、照明装置消灯時に前記検知手段により前記自動体外式除細動器に起動を検知すると前記照明装置を強制点灯する表示手段を設けたことを特徴とする。【選択図】図１
2008129710.tif 000002
【特許請求の範囲】
【請求項１】
前面あるいは商品見本を照らす照明装置を備え、該照明装置を所定の条件により点消灯できるようにした自動販売機において、自動体外式除細動器を備え、前記自動体外式除細動器に起動を検知する検知手段と、照明装置消灯時に前記検知手段により前記自動体外式除細動器に起動を検知すると前記照明装置を強制点灯する表示手段を設けたことを特徴とする自動販売機。
【請求項２】
請求項１に記載の自動販売機において、自動販売機の外周面に自動販売機内部を開放する外扉とは別に小扉を設け、小扉内部に自動体外式除細動器を収納するとともに、前記検知手段にて小扉の開放を検知することで、前記照明装置を強制点灯することを特徴とする自動販売機。
【請求項３】
請求項１または２記載の自動販売機において、自動体外式除細動器を複数備え、少なくともそのひとつは小児用の自動体外式除細動器であることを特徴とする自動販売機。
【発明の詳細な説明】
【技術分野】
【０００１】
本発明は、自動体外式除細動器を搭載した自動販売機に関する。
【背景技術】
【０００２】
庫内に商品を収納し、貨幣の投入に応じて庫内の商品を販売する自動販売機は日本国内の至る所に設置されている。
一方、増加傾向にある心臓疾患に伴う心拍動の停止に対する心拍動の蘇生が有効な処置として自動体外式除細動器が知られており、最近は、駅などに設置されている。
この自動体外式除細動器を自動販売機に搭載し、緊急時に利用してもらうようにした自動販売機も知られている（例えば、特許文献１）。
ところで、自動販売機においては、省エネルギを目的とし、人が少ない時間帯などは、照明装置を消灯して消費電力を低減するようにしている（例えば、特許文献２）。
【特許文献１】実用新案登録第３１２５３０４号公報
【特許文献２】特開平８−２１２４４０号公報
【発明の開示】
【発明が解決しようとする課題】
【０００３】
前述したように、例えば、自動販売機の照明装置消灯時に、自動体外式除細動器が必要となる緊急事態が発生した場合、自動体外式除細動器の作業に不慣れな人が多いため、このように、照明装置が消灯しており、周囲も暗いと、作業がし難く、１分１秒を争う事態では作業ロスとなりかねない。
このため、単に自動体外式除細動器を自動販売機に収納するだけではなく、自動販売機の制御に連動した自動体外式除細動器が求められている。
本発明は上記の点に鑑みなされたものであり、自動販売機に搭載した自動体外式除細動器の操作性を高めることが可能な自動販売機を提供することにある。
【課題を解決するための手段】
【０００４】
上記目的を達成するために本発明によれば、前面あるいは商品見本を照らす照明装置を備え、該照明装置を所定の条件により点消灯できるようにした自動販売機において、自動体外式除細動器を備え、前記自動体外式除細動器に起動を検知する検知手段と、照明装置消灯時に前記検知手段により前記自動体外式除細動器に起動を検知すると前記照明装置を強制点灯する表示手段を設けたことを特徴とする。
また、上記自動販売機において、自動販売機の外周面に自動販売機内部を開放する外扉とは別に小扉を設け、小扉内部に自動体外式除細動器を収納するとともに、前記検知手段にて小扉の開放を検知することで、前記照明装置を強制点灯することを特徴とする。
さらに、自動体外式除細動器を複数備え、少なくともそのひとつは小児用の自動体外式除細動器であることを特徴とする。
【発明の効果】
【０００５】
本発明によれば、自動販売機に自動体外式除細動器を搭載した場合には、照明装置の消灯時間帯であっても、自動体外式除細動器の起動を検知すると前記照明装置を強制点灯することにより、周囲が暗い状態でも自動販売機の照明装置により明るく照らすことができるため、確実に自動体外式除細動器の操作ができ、救命活動を行えるという効果が得られる。
【発明を実施するための最良の形態】
【０００６】
以下、図１ないし図３を参照しながら、本発明に係る自動販売機の実施の形態について説明する。
図３は、本発明の実施の対象となる自動販売機の概略正面図の一例を示すものであり、自動販売機３は、その本体キャビネット前面に外扉３０を備え、本体キャビネット内には複数種類の商品を個別に収納する複数（ｎ個）のコラムを備えており、商品選択釦３２が押され、販売指令が与えられた場合に押された商品選択釦３２に対応する商品の払い出しを行う。
この外扉３０には、その表面側に商品見本展示室３１、販売可能ランプおよび売切ランプを内蔵する商品選択釦３２、硬貨投入口３３、紙幣挿入口３４、返却レバー３５、金額表示器３６、硬貨返却口３７、商品取出口３８が設けられている。
【０００７】
この自動販売機３の外扉３０の前面には、自動体外式除細動器１００（以下、ＡＥＤともいう）のＡＥＤ収納部３９が設けられており、本実施の形態においては、商品見本展示室３１の下部近傍に設けられている。
このＡＥＤ収納部３９は、前面が小扉３９ａにて覆われ、小扉３９ａには取手３９ｂが設けられており、取手３９ｂを手前に引くことにより、小扉３９ａが開放され、自動体外式除細動器１００が取り出し可能となる。なお、小扉３９ａは、内部に収納されている自動体外式除細動器１００が透視可能なように透明なアクリル板からなる。
次に、商品見本展示室３１は、外扉３０の上部に構成した透明の窓を有し、内部に配列した商品見本３１ａを外部に視認させることが可能である。商品見本展示室３１を通じて視認される商品見本３１ａは、それぞれコラムに収納した商品を現し、商品選択釦３２と対応して設けられている。また、この商品見本展示室３１には、照明装置として蛍光灯３１ｂを備えており、商品見本３１ａを上下あるいは背面から目立たすように照らすとともに、自動販売機の前方域を明るく照らすものである。
【０００８】
蛍光灯３１ｂは、図３に示すように商品見本展示室３１の上部と図示しないが上下３段からなる商品見本の下部にそれぞれ設けられている。
次に、図１は、本発明の実施の形態を示す自動販売機の制御ブロック図であり、以下に説明する。
１は自動販売機全体を制御し、制御プログラムを記憶するメモリ１ａおよび各種データを記憶するメモリ１ｂ、タイマ１ｃなどを備える主制御部である。
この主制御部１には、自動販売機の機能である貨幣処理部１１、冷熱装置および商品を搬出する搬出装置を制御する本体制御部１２、販売可能ランプと売切ランプを内蔵する商品選択釦３２、金額表示器３６がそれぞれ接続されている。なお、蛍光灯３１ｂは、本体制御部１２に接続され、点消灯の制御が行われる。
【０００９】
また、小扉３９ａの開放あるいは自動体外式除細動器１００の取り出しを検知できる位置にスイッチ１３を設けておき、このスイッチの信号を主制御部にて受信できるように接続されている。
蛍光灯３１ｂは、主制御部１からの点灯指令あるいは消灯指令により本体制御部１２を介して、点消灯が行われるものであり、この点消灯条件として、例えば、タイマ１ｃにより、時間により点消灯を行うものとする。
この構成において、図２のフローチャートを用い、以下に処理を説明する。
通常の販売モードでは、自動販売機１は、販売待機状態において（ステップＳ２１）、硬貨投入口に所定金額の硬貨が投入されると（ステップＳ２２，Ｙｅｓ）、別フローとなり、商品選択釦３２の販売可ランプが点灯し、商品選択ボタン３２が押されると、本体制御部１２から押された商品選択釦３２に対応する本体制御部１３を介して搬出装置に対して商品の搬出指令が出され、対応するコラムから商品が商品取出口３８へ搬出され、釣銭がある場合には硬貨返却口３７から釣銭が返却されて、商品の販売が終了する。
【００１０】
一方、硬貨投入口に硬貨が投入されていない状態で、取手３９ｂを引っ張ることで小扉３９ａが開放され、自動体外式除細動器１００がＡＥＤ収納部３９から取り出されると、この小扉３９ａの開放あるいは自動体外式除細動器１００がＡＥＤ収納部３９から取り出されたことをスイッチ１３にて検知し（ステップＳ２３，Ｙｅｓ）、次に、蛍光灯３１ｂの点消灯状態を確認する（ステップＳ２４）。ここで、蛍光灯３１ｂが点灯状態であれば問題ないが、消灯中の場合には（ステップＳ２４，Ｙｅｓ）、主制御部１から本体制御部１２を介して蛍光灯３１ｂを強制的に点灯状態とする（ステップＳ２５）。
このように、蛍光灯３１ｂの消灯時間帯であったとしても、自動体外式除細動器１００の取り出しを検知することで、蛍光灯３１ｂを点灯状態とすることができるため、周囲が明るくなり、救命行為が簡単に出来るようになる。
【００１１】
なお、蛍光灯３１ｂの消灯時間帯に、作業終了後、自動体外式除細動器１００がＡＥＤ収納部３９に収納されたら、蛍光灯３１ｂを消灯するようにしてもよい。
上記の実施形態の他に種々の方法が考えられるため、簡単に説明する。
まず、自動体外式除細動器１００を１個搭載したが、小児用の自動体外式除細動器も搭載して、大人、小児のいずれにも対応可能とすることで、より広い範囲で救命活動が可能となる。
次に、最近の自動販売機によく搭載されている通信装置、音声装置、撮像装置を用いれば、撮像装置にて救命活動を撮影し、その撮影した映像を、通信装置を介してセンタに送信することにより、救命活動現場の状況確認、あるいは映像を見ながらによる救命作業の指示なども可能となり、より確実に救命活動が行われるようになる。
【００１２】
次に、蛍光灯３１ｂの点灯は、小扉３９ａの開放あるいは自動体外式除細動器１００の取り出しに基づいて行うようにしたが、自動体外式除細動器１００の電源オン信号を受信可能な場合には、電源オンオフに基づき、蛍光灯３１ｂを強制点灯するようにしてもよい。
次に、自動体外式除細動器の使用を条件に、自動販売機の商品を無料で１本提供してもよく、救命活動へのお礼あるいは患者への水分提供などに用いることができる。
【図面の簡単な説明】
【００１３】
【図１】自動販売機の制御ブロック図である。
【図２】図１の自動販売機の動作フローチャートである。
【図３】本発明の実施の形態を示す自動体外式除細動器を搭載した自動販売機の正面図である。
【符号の説明】
【００１４】
１        主制御部
３        自動販売機
１２        本体制御部
１３        スイッチ
３０        外扉
３１ｂ      蛍光灯
３９        ＡＥＤ収納部
３９ａ      小扉
３９ｂ      取手
１００        自動体外式除細動器
【図１】
2008129710.tif 000003
【図２】
2008129710.tif 000004
【図３】
2008129710.tif 000005